(57)【要約】【課題】各構成ユニットの効果的なレイアウトにより電子カメラの薄型化を実現し特に上下に設けたハウジング(カバー)を薄型化した場合にも回路基板の強度低下が生じない電子カメラの提供。【解決手段】前記操作部は筐体を上下のカバーで構成し、該カバー間のたわみ方向による変形を前記カバーの少なくとも一のカバーより突設させた突設部により支持させてたわみ防止を図り、該カバー角隅部に設けた基板支持部に位置決めされたメイン基板に設けた孔部を介して前記突設部を接触若しくは嵌合させ、又、該突設部同士をメイン基板を挟んで、又はメイン基板に設けた開口部を介して接触させた支持構造によりたわみ防止を図るとともに、該突設部が前記カバーと平行な二次元方向のそれぞれ異なる次元方向に延在させ前記カバー間に位置するメイン基板を二次元方向で狭持若しくは嵌合させることにより筐体のたわみ方向に対してメイン基板を遊動自在に支持した。【選択図】      図８
2005079728.tif 000002
【特許請求の範囲】
【請求項１】
表示装置と基板とを収納する操作部筐体と、前記表示装置に画像を送る撮像装置と発光装置とを収納する撮像部筐体と、前記操作部筐体と前記撮像部筐体とを回動自在に連結するヒンジ機構と、前記操作部筐体となる上下のカバーと、該上下のカバーの少なくとも一のカバーに突設した突設部と、前記上下のカバーの少なくとも一の隅位置に設けた基板支持部と、前記基板に設けた孔部と、を備え、
前記孔部を介して前記突設部が他方のカバー又は他方のカバーから突設した他の突設部と当接又は嵌合することにより前記上下のカバーのたわみ方向の変形を防止すると共に、前記突接部及び前記基板支持部により前記基板を前記たわみ方向に遊動自在に支持することを特徴とする電子カメラ。
【請求項２】
表示装置と基板とを収納する操作部筐体と、前記表示装置に画像を送る撮像装置と発光装置とを収納する撮像部筐体と、前記操作部筐体と前記撮像部筐体とを回動自在に連結するヒンジ機構と、前記操作部筐体となる上下のカバーと、該上のカバーから突設した第１の突設部と、該下のカバーから突設した第２の突設部と、を備え、
前記第１の突設部と前記第２の突設部とを前記基板の延在する面に平行で且つそれぞれ異なる方向に延在して設け、前記第１の突設部と前記第２の突設部とを前記基板を挟んで挟持することにより、前記上下のカバーのたわみ方向の変形を防止すると共に、前記基板を前記たわみ方向に位置決め支持することを特徴とする電子カメラ。
【請求項３】
表示装置と基板とを収納する操作部筐体と、前記表示装置に画像を送る撮像装置と発光装置と撮影用ズームレンズとを収納する撮像部筐体と、前記操作部筐体と前記撮像部筐体とを回動自在に連結するヒンジ機構と、前記操作部筐体となる上下のカバーと、該上のカバーから突設した第１の突設部と、該下のカバーから突設した第２の突設部と、前記基板に設けた第２の孔部と、を備え、
前記第１の突設部と前記第２の突設部とを前記基板と平行且つそれぞれ異なる方向に延在し、前記第１の突設部と前記第２の突設部とを前記基板の孔部を介して当接又は嵌合することにより、前記上下のカバーのたわみ方向の変形を防止すると共に、前記基板を前記たわみ方向に遊動自在に支持することを特徴とする電子カメラ。
【請求項４】
前記第１の突設部を前記撮像装置の光軸方向と略同一方向に延在したリブとし、前記第２の突設部を前記光軸方向と略直交する方向に延在したリブとしたことを特徴とする請求項２又は３に記載の電子カメラ。
【請求項５】
前記操作部筐体において、前記基板の一面側にメモリスロツトと前記表示装置とを配置すると共に、他面側に扁平形状の電池収納部と前記撮像装置の制御を行う第２の基板を配置し前記操作部筐体の薄型化を図ったことを特徴とする請求項１乃至４の何れかに記載の電子カメラ。
【発明の詳細な説明】
【技術分野】
【０００１】
本発明は、電子カメラに関し、特にカメラ筐体に内蔵する回路基板の強度性を維持しつつ薄型、軽量に構成した電子カメラに関する。
【背景技術】
【０００２】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感を感じさせない軽さで、しかも高倍率のズーム機構を備えた電子カメラの出現が望まれている。
【０００４】
一般の電子カメラにおいてはカメラ本体の右側に撮影レンズユニットが配設され、背面部に画像表示装置が配設されている。そして、電源用の複数の電池は、カメラ本体内に収納されている。また、ストロボコンデンサは、画像表示装置と厚み方向で重なる位置に配設されている。着脱自在の記録媒体は、カメラ本体の側面部側から記録媒体装着部に挿脱される。さらに、操作スイッチ部は、カメラの上面部、または、背面部に配設されており、その内部に接点部を有する電気回路基板が配設されている。
【０００５】
しかしながら、電子カメラ本体の薄型化を考えた場合、上述の電子カメラは、必ずしも上記薄型化に有利な配置がなされているとはいえない。すなわち、複数の電池がカメラ本体の厚み方向に重ねて配置されていること、さらに、ストロボコンデンサが画像表示装置と厚み方向で重なる位置に配設されていることなどからカメラの厚みが増し、薄型化に不利である。また、記録媒体は、カメラ本体の側面部に設けられる記録媒体蓋を開閉して挿脱する構造であることから、側面部のコネクタの取り付け位置が制限される。さらに、カメラ本体を薄型にすると上面部の操作部面積も減少するので操作スイッチが背面部に集中する傾向にある。しかし、背面部に操作スイッチを移しただけでは操作スイッチ部等とその基板の厚みが付加され、必ずしもカメラ本体の厚みを減らすことにはならない。
【０００６】
そのため特許文献１に示されているように、画像表示面を有した操作部にヒンジ機構などの回転機構で回転可能に接続した撮像部に、撮影レンズと発光装置などを配して撮影レンズを被写体方向に向けられるようにし、しかも、画像表示面は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら画像表示面を常時確認することが可能となる。
【特許文献１】特許２９３１９０７号公報
【発明の開示】
【発明が解決しようとする課題】
【０００７】
しかしながら前記の構成を採って薄型化を達成しても問題となるのが回路基板である。回路基板（メイン基板）は、一般に上下に設けたハウジング（カバー）、若しくは上下のハウジングに挟まれる中間筐体によって支持されているが、上下に設けたハウジングを薄型化した場合に強度低下が生じやすく、又、上下のハウジング（カバー）に挟まれる中間筐体によって支持されている構造では薄型化と軽量化が達成しにくい。
【０００８】
特にメイン基板には、電子カメラ全体を制御するＣＰＵなどが実装されているが、本発明のように電子カメラ全体を薄型に構成し、かつ、前記したようにＹシャツの胸ポケットやＧパンの臀部ポケットなどに収容した場合、これら上カバーと下カバーで構成された筐体に大きなたわみ力が加わる。そのためＣＰＵなどを実装したメイン基板を筐体にネジなどで固定すると、たわみ力が加わった際、メイン基板がたわみ、最悪の場合、ハンダ付け実装したＣＰＵなどが剥がれてしまうという事故がおきる。
【０００９】
本発明は、上述の不具合を解決するためになされたものであり、内部の各構成ユニットの効果的なレイアウトにより電子カメラの薄型化を実現すること、さらに、操作スイッチをカメラ本体の背面部に設けたとしても厚みが増すことがなく、また、上下に設けたハウジング（カバー）を薄型化した場合においても回路基板の強度低下が生じない電子カメラを提供することを目的とする。
【課題を解決するための手段】
【００１０】
そこで、本発明はかかる課題を解決するために、第１発明は、表示装置と基板とを収納する操作部筐体と、前記表示装置に画像を送る撮像装置と発光装置とを収納する撮像部筐体と、前記操作部筐体と前記撮像部筐体とを回動自在に連結するヒンジ機構と、前記操作部筐体となる上下のカバーと、該上下のカバーの少なくとも一のカバーに突設した突設部と、前記上下のカバーの少なくとも一の隅位置に設けた基板支持部と、前記基板に設けた孔部と、を備え、
前記孔部を介して前記突設部が他方のカバー又は他方のカバーから突設した他の突設部と当接又は嵌合することにより前記上下のカバーのたわみ方向の変形を防止すると共に、前記突接部及び前記基板支持部により前記基板を前記たわみ方向に遊動自在に支持することを特徴とする。
【００１１】
又第２発明は、表示装置と基板とを収納する操作部筐体と、前記表示装置に画像を送る撮像装置と発光装置とを収納する撮像部筐体と、前記操作部筐体と前記撮像部筐体とを回動自在に連結するヒンジ機構と、前記操作部筐体となる上下のカバーと、該上のカバーから突設した第１の突設部と、該下のカバーから突設した第２の突設部と、を備え、
前記第１の突設部と前記第２の突設部とを前記基板の延在する面に平行で且つそれぞれ異なる方向に延在して設け、前記第１の突設部と前記第２の突設部とを前記基板を挟んで挟持することにより、前記上下のカバーのたわみ方向の変形を防止すると共に、前記基板を前記たわみ方向に位置決め支持することを特徴とする。
【００１２】
さらに又第３発明は、表示装置と基板とを収納する操作部筐体と、前記表示装置に画像を送る撮像装置と発光装置と撮影用ズームレンズとを収納する撮像部筐体と、前記操作部筐体と前記撮像部筐体とを回動自在に連結するヒンジ機構と、前記操作部筐体となる上下のカバーと、該上のカバーから突設した第１の突設部と、該下のカバーから突設した第２の突設部と、前記基板に設けた第２の孔部と、を備え、
前記第１の突設部と前記第２の突設部とを前記基板と平行且つそれぞれ異なる方向に延在し、前記第１の突設部と前記第２の突設部とを前記基板の孔部を介して当接又は嵌合することにより、前記上下のカバーのたわみ方向の変形を防止すると共に、前記基板を前記たわみ方向に遊動自在に支持することを特徴とする。
【００１３】
このとき、好ましくは前記第２、３発明の前記第１の突設部を前記撮像装置の光軸方向と略同一方向に延在したリブとし、前記第２の突設部を前記光軸方向と略直交する方向に延在したリブとしたことを特徴とする。
また、前記いずれの発明も、前記操作部筐体において、前記基板の一面側にメモリスロツトと前記表示装置とを配置すると共に、他面側に扁平形状の電池収納部と前記撮像装置の制御を行う第２の基板を配置し前記操作部筐体の薄型化を図ることが好適である。
【発明の効果】
【００１４】
かかる発明によれば、該カバー間のたわみ方向による変形を前記カバーの少なくとも一のカバーより突設させた突設部（支柱）により支持させてたわみ防止を図るとともに、該カバーにおける角隅部に設けた基板支持部に位置決めされたメイン基板に設けた孔部を介して前記突設部を接触若しくは嵌合させ、該突設部を介して筐体のたわみ方向に対してメイン基板を遊動自在に支持したために、筐体が撓んでもその力を逃がすことができるという利点がある。
【００１５】
又、メイン基板を特段にコーナーで位置決めすることなく（勿論位置決めしてもよい）、該カバー略中央位置に設けた突設部同士をメイン基板を挟んで、若しくはメイン基板に設けた開口部を介して接触させた支持構造によりたわみ防止と位置決め支持を図るとともに、該突設部が前記カバーと平行な二次元方向のそれぞれ異なる次元方向に延在させて、前記カバー間に位置するメイン基板を二次元方向で狭持若しくは嵌合させることにより筐体のたわみ方向に対してメイン基板を遊動自在に且つ確実に位置決め支持ができる。という利点がある。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１７】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図、図４は本発明になる電子カメラのレンズを被写体方向に向けた撮影するときのカメラのホールド状態を示した図である。
【００１８】
図中１００は電子カメラ、１０１は撮像部、１０２は操作部、１０３は撮影レンズ窓、１０４はストロボなどの発光装置窓、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１９】
前記電子カメラ１００は、図１乃至３に示したように、操作部１０２側に表示装置１０５と一般的な撮影用操作釦類１０６乃至１１３を配し、この操作部１０２にヒンジ機構で回転可能に接続された撮像部１０１の一端側には、撮影レンズ窓１０３、その操作部１０２側に発光装置窓１０４を配してある。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
また特に、撮影中に表示装置１０５に指がかからないように、主に撮影に用いる釦１０６、１０９等は、表示装置より離して配置している。
【００２０】
そして前記電子カメラ１００は、表示装置１０５を常時視認できるよう撮影者の方に向けたまま、図２に示したように撮像部１０１を被写体の方に向けたり、図３に示したように逆に回転させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置窓１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回転中心までの距離は、ヒンジ機構の回転中心から撮影レンズ窓１０３とは逆側の端までの距離より大きくとってある。
【００２１】
これに伴い、撮影レンズ窓１０３をユーザ自身に向けて撮影をおこなった場合、表示装置１０５の表示画面から撮影レンズ窓１０３までの距離が長くなる。
従って、ユーザが表示装置１０５をユーザの視認方向に対して傾けて視認し、表示画面を撮影レンズ窓１０３と表示画面との間の隙間から見た場合、表示画面から撮影レンズ窓１０３までの距離が長いので、前記隙間も長くなり、表示画面全体を良好に視認できる。
【００２２】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００２３】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像が内蔵されたメモリに記録するようになっている。このようにして撮影を行なうことにより、前記したように撮像部１０１における撮影レンズ窓１０３からヒンジ機構の回転中心までの距離は、ヒンジ機構の回転中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００２４】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２５】
次に操作部１０２の構成について説明する。図５は本発明になる電子カメラ１００の操作部１０２のカバーを取り除いた内部デバイスの収容状態と、撮像部１０１における発光装置とコンデンサ、ＣＣＤなどの撮像デバイスなどを示した斜視図、図６は本発明になる電子カメラ１００の一実施形態における操作部１０２のカバーを取り除き、（Ａ）はさらに表示装置１０５を取り除いた斜視図、（Ｂ）は裏面から見た斜視図、図７は本発明になる電子カメラ１００の一実施形態における操作部１０２のカバーを取り除き、（Ａ）は図５のａ方向から見た側面図、（Ｂ）は同じく図５のｂ方向から見た側面図で、（Ｃ）はカバーを被せた状態でメイン基板３００の略中央に設けた孔３１１近辺を示す図５のｃ−ｃ線断面図である。図８は本発明の第１実施例の基本構成図である。
【００２６】
図５乃至図８において、図中３００は電子カメラ１００における全体を制御するメイン基板、３０１は画像を記憶するメモリカードなどを収容するメモリスロット、３０２はバッテリー、３０３は撮像部１０１を制御するサブ基板、３０４はモード制御用フレキシブル基板、３０６はマイク、３０７は上カバー、３０８は下カバー、３０９は上カバー側支柱、３１０は下カバー側支柱で、両支柱３０９、３１０間で上カバー３０７と下カバー３０８間に挟持されたメイン基板３００を略中央で支える。
撮像部１０１側のＣＣＤなどの撮像素子（不図示）、撮像部１０１側のストロボなどの発光装置（不図示）、撮像部１０１側のストロボなどの発光装置用コンデンサ（不図示）、３２３は撮像部１０１側のストロボなどの発光装置用プリント基板でこれらは撮像部１０２内に組み込まれている。
【００２７】
前記電子カメラ１００の操作部１０２は、図７（Ｃ）及び図８の断面図に示した上側カバー３０７に、前記図１に示したスピーカ１１４やシャッター釦１０６、電源釦１０７、選択決定キー１０８、ズームキー１０９、メニュー釦１１０、ディスプレイ釦１１１、シーン釦１１２、モードセレクト釦１１３などの操作釦類を取り付けると共に、図５に示した液晶などの表示装置１０５の露出窓を設け、この表示装置１０５周囲にモード制御用のフレキシブル基板３０４が配されている。そして、この表示装置１０５とモード制御用のフレキシブル基板３０４の下に、図６（Ａ）に示したように上側に画像を記憶するメモリカードなどを収容するメモリスロット３０１を、下側に図６（Ｂ）のように薄型のバッテリー３０２を配したメイン基板３００を配して図７（Ｂ）のように積み重ね、さらにメイン基板３００の下のバッテリー３０２の横に、図６、図７（Ａ）に示したように撮像部１０１を制御するサブ基板３０３を配してある。
【００２８】
そしてこのうちメイン基板３００は下側左右の角隅部を切り欠き３００ａ、該切り欠き部３００ａに係合する下側カバー３０８の下側左右のコーナーなどに設けられた位置決め突起部３０８ａ（図８）で位置決めし、図７（Ｃ）に示したように、上側カバー３０７に設けられた支柱３０９（図７（Ｃ））と、下側カバー３０８に設けられた支柱３１０（図７（Ｃ））をメイン基板３００の略中央近辺に設けた孔３１１に通して支持し、筐体のたわみに対して遊動自在に支持できるようにしてある。すなわちメイン基板３００には、電子カメラ１００全体を制御するＣＰＵなどが実装されているが、本発明のように電子カメラ１００全体を薄型に構成し、かつ、前記したようにＹシャツの胸ポケットやＧパンの臀部ポケットなどに収容した場合、これら上カバー３０７と下カバー３０８で構成された筐体に大きなたわみ力が加わる。そのためＣＰＵなどを実装したメイン基板３００を筐体にネジなどで固定すると、たわみ力が加わった際、メイン基板３００がたわみ、最悪の場合、ハンダ付け実装したＣＰＵなどが剥がれてしまうという事故が生じる。そのため本発明においては、このようにメイン基板３００をコーナーで位置決めだけして略中央部分を支柱３０９、３１０を通して支持することにより、筐体が撓んでも、その力を逃がすことができるようにしたものである。
尚、メイン基板３００の面に対する垂直方向の位置決めは、メイン基板３００に配置された表示装置等の部材が筐体に接触または固定され、その表示装置等にメイン基板が接触することにより位置決めされる。
【実施例２】
【００２９】
本第２実施例の構成を概略的に図９及び図１０に基づいて説明する。
図９（Ａ）は下カバーの平面図、（Ｂ）は上カバーの平面図、（Ｃ）は両者を組み合わせた状態の断面図である。
前記したように操作部１０２は筐体を上下のカバー３０７、３０８で構成し、該カバー間のたわみ方向による変形を防止する突設部として機能する一文字状リブ３８０、３８１を前記それぞれのカバー３０７、３０８より突設させて、該リブ３８０、３８１同士をメイン基板３００を挟んでたわみ防止を図るとともに、該一文字状リブ３８０、３８１が前記カバーと平行な二次元方向のそれぞれ異なる次元方向に延在させて、具体的には上カバー３０７に設けたリブ３８０を撮像部１０１における光学系光軸方向に延在し、また下カバー３０８に設けたリブ３８１を撮像部１０１における光学系光軸方向と直角方向に延在し前記上下カバー３０７、３０８間に位置するメイン基板３００を二次元方向で狭持させることにより筐体のたわみ方向に対してメイン基板３００を遊動自在に支持している。
【００３０】
図１０は第２実施例の変形例で、（Ａ）はメイン基板の水平断面図、（Ｂ）は上カバーと下カバー両者を組み合わせた状態の垂直断面図である。
前記したように操作部１０２は筐体を上下のカバー３０７、３０８で構成し、該カバー間のたわみ方向による変形を防止する突設部として機能する一文字状リブ３８０、３８１を前記それぞれのカバー３０７、３０８より突設させた点は前記実施例と同一であるが、メイン基板上のリブ３８０、３８１と対応する位置に十文字状の開口穴３９０を設け、該リブ３８０、３８１同士をメイン基板３００の十文字状の開口穴３９０に嵌合した状態で互いにその先端同士を接触させて、メイン基板３００の位置決めとたわみ防止を図るとともに、該一文字状リブ３８０、３８１が前記二次元方向のそれぞれ異なる次元方向に延在させて、前記上下カバー３０７、３０８間に位置するメイン基板３００を十文字状の開口穴３９０を介して二次元方向で嵌合させることにより筐体のたわみ方向に対してメイン基板を遊動自在に支持し且つカバー面と平行な方向に対しては二次元方向にしっかり位置決めされている。
【００３１】
以上記載のごとく前記第２実施例は、メイン基板３００を特段にコーナーで位置決めすることなく（勿論位置決めしてもよい）、該カバー略中央位置に設けたリブ３８０、３８１同士をメイン基板３００を挟んで、若しくはメイン基板３００に設けた開口部３９０を介して接触させた支持構造によりたわみ防止と位置決め支持を図るとともに、該リブ３８０、３８１が前記カバーと平行な二次元方向のそれぞれ異なる次元方向に延在させて、前記カバー間に位置するメイン基板を二次元方向で狭持若しくは嵌合させることにより筐体のたわみ方向に対してメイン基板を遊動自在に且つ確実に位置決め支持ができる。という利点がある。
【産業上の利用可能性】
【００３２】
本発明は、内部の各構成ユニットの効果的なレイアウトにより電子カメラの薄型化を実現すること、さらに、操作スイッチをカメラ本体の背面部に設けたとしても厚みが増すことがなく、また、上下に設けたハウジング（カバー）を薄型化した場合においても回路基板の強度低下が生じない電子カメラを提供できる。
【図面の簡単な説明】
【００３３】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【図５】本発明になる電子カメラの操作部のカバーを取り除いた内部デバイスの収容状態と、撮像部における発光装置とコンデンサ、ＣＣＤなどの撮像デバイスなどを示した斜視図である。
【図６】本発明になる電子カメラの一実施形態における操作部のカバーを取り除き、（Ａ）はさらに表示装置を取り除いた斜視図、（Ｂ）は裏面から見た斜視図である。
【図７】本発明になる電子カメラの一実施形態における操作部のカバーを取り除き、（Ａ）は図５のａ方向から見た側面図、（Ｂ）は同じく図５のｂ方向から見た側面図で、（Ｃ）はカバーを被せた状態でメイン基板の略中央に設けた孔近辺を示す図５のｃ−ｃ線断面図である。
【図８】本発明の第１実施例の基本構成図である。
【図９】本第２実施例の構成を概略的に示したもので、（Ａ）は下カバーの平面図、（Ｂ）は上カバーの平面図、（Ｃ）は両者を組み合わせた状態の断面図である。
【図１０】第２実施例の変形例で、（Ａ）はメイン基板の水平断面図、（Ｂ）は上カバーと下カバー両者を組み合わせた状態の垂直断面図である。
【符号の説明】
【００３４】
１０２  操作部
１０５  表示装置
１１４  スピーカ
３００  メイン基板
３００ａ  切り欠き
３０１  メモリスロット
３０２  バッテリー
３０３  サブ基板
３０７  上カバー
３０８  下カバー
３０８ａ  位置決め支持部
３０９、３１０  支柱
３８０  ３８１  リブ
３９０  開口穴
【図１】
2005079728.tif 000003
【図２】
2005079728.tif 000004
【図３】
2005079728.tif 000005
【図４】
2005079728.tif 000006
【図５】
2005079728.tif 000007
【図６】
2005079728.tif 000008
【図７】
2005079728.tif 000009
【図８】
2005079728.tif 000010
【図９】
2005079728.tif 000011
【図１０】
2005079728.tif 000012